(57)【特許請求の範囲】
【請求項１】
上下に傾斜して配された発射レールの下端部に保持された玉を、発射槌を回転させて該発射槌の先端部で叩打して前記発射レールに沿って発射させる遊技機用の玉発射装置であって、
前記発射槌は、
回転自在に軸支され、先端部が前記発射レールの下端部に臨むアームと、
前記発射レールの下端部に摺動自在に配置され、前記玉を叩打する叩打部と、
前記アームの先端部と前記叩打部とを連結し、前記アームの回転に連動させて前記叩打部を前記発射レールに沿って往復直線運動させるリンク機構と、を有し、
前記アームを前記発射レールの下端に向かう方向に回転させることで、前記叩打部にて前記玉を叩打して発射させるものであって、
前記アームは、先端側に該アームの回転方向に突出した部分を有し、該突出した部分に前記リンク機構を介して前記叩打部が接続され、玉を叩打した状態で、前記叩打部と共に前記突出した部分が前記発射レールの下端部から前記発射レール内に入り込むことを特徴とする遊技機用の玉発射装置。
【請求項２】
前記アームを前記発射レールの下端に向かう方向に回転させる駆動部と、
前記アームを前記発射レールの下端から離す方向に付勢する付勢部材と、を備え、
前記駆動部が、
内部に固定芯を備え、前記アームに設けられた引き込み部を通電時に吸引するコイル部と、
前記アームと対向する側を少なくとも除いて、前記コイル部の周りを囲うように設けられたヨークと、を備え、
前記アームが、磁性体にて構成されていることを特徴とする請求項１に記載の遊技機用の玉発射装置。
【請求項３】
前記引き込み部が、前記アームにおける回転支点と先端部との間に設けられていることを特徴とする請求項２に記載の遊技機用の玉発射装置。
【請求項４】
往復直線運動する前記叩打部の上部をガイドする上ガイド部が設けられていることを特徴とする請求項１から３の何れか１項に記載の遊技機用の玉発射装置。
【請求項５】
請求項１から４の何れか１項に記載された玉発射装置を備えたことを特徴とする遊技機。
【発明の詳細な説明】
【技術分野】
【０００１】
本発明は、遊技球を発射する玉発射装置に関する。
【背景技術】
【０００２】
遊技球としての玉を発射させて遊技するパチンコ機等の遊技機には、遊技者が操作して玉を発射させる玉発射装置が備えられている。遊技者が遊技機に設けられたハンドルを操作すると、玉発射装置からハンドルの回転量に応じた強さの玉が発射される。遊技者はハンドルの回転を調整することで発射時の玉の強さを調整し、遊技領域における狙いとする所に玉を送って遊技を行う。そのため、玉発射装置には、遊技領域の中央の狙った所に玉を安定して送ることができる発射安定性が要求される。
【０００３】
玉発射装置は、一般的に遊技機下部に設けられた受皿の背面（裏側）に備えられ、受皿背面における中央の他、向かって左側あるいは右側に配置される。近年、遊技機の演出により、遊技機中央に大きな演出ボタンが備えられることがあり、その場合は、必然的に左側あるいは右側に配置される。
【０００４】
また、近年、向かって左側に設置される各台計数機からノズルを介して供給された玉を、向かって右側から発射装置へと供給するように構成された受皿も多い。このような受皿の場合、受皿背面における向かって右側に玉発射装置を配置することで、シンプルな構成とできる。
【０００５】
さらに、近年の遊技機の傾向として、抽選時は遊技領域の中央を狙って玉を送り、大当たり確定後は、遊技領域上部における向かって右側の、右奥へと球を送る演出も増えている。
【０００６】
玉発射装置を、受皿背面における向かって右側に配置すると、右奥までの距離が長くなる。そのため、玉発射装置には、発射安定性と共に、遊技領域の右奥まで玉を到達させることができる発射強度が必要となる。
【０００７】
例えば特許文献１には、直線往復運動型の発射ソレノイドを用いて打球杆を直線往復運動させて玉を叩打する直線方式の玉発射装置が記載されている。直線方式は、発射レールに沿った直線方向の力を玉に加えることができるので、発射安定性は高い。
【０００８】
しかしながら、ソレノイドのプランジャーの出没動作で直に打球杆を往復運動させるため、発射強度が弱い。ソレノイドを大型可することで、発射強度を上げることができるが、その場合、必然的に玉発射装置が大型する。遊技機に搭載される演出装置がますます大型可されるなか、玉発射装置の小型化は必須要件である。
【０００９】
また、例えば特許文献２，３には、発射槌（弾球槌）を搖動回転させて玉を叩打する回転方式の玉発射装置が記載されている。回転方式は、回転中心から玉を叩打する叩打部までの距離に応じて力が増大されるので、玉発射装置の小型化を図りつつ発射強度を上げることができる。
【００１０】
しかしながら、叩打部が回転運動で玉に当たるため、玉と叩打部の接触角度は一定であっても、回転強度に応じて玉の進む方向である発射角度が異なってしまい、狙った所に玉を送ることが難しくなる。これは、強い回転力の時には、一定の位置で接触した玉と叩打部とが所定の回転角度まで回転するよりも前に玉が発射されるためである。回転運動で玉を叩打すると、玉と叩打部との接触開始を一定にしても回転強度により発射角度が異なり、結果として玉の発射角度が安定しない。
【００１１】
ハンドルの回転量は、たとえ遊技者がハンドルを一定位置に保持しているつもりでも微妙に変化する。そのため、回転方式では、この微妙なハンドルの回転量の変化にて、発射槌（弾球槌）の回転強度にばらつきが生じ、それにより、玉の発射角度がばらつき、ひいては遊技領域における到達位置がばらつくこととなる。
【００１２】
このような回転方式の不具合に着目したものとして、例えば特許文献４には、発射レールの下端部に、振子状の玉打撃部材を配設し、該玉打撃部材を介して発射槌（打杆）にて玉を叩打することで、玉を発射レールに沿った直線方向に発射する玉発射装置が記載されている。
【００１３】
また、特許文献５には、反射レールの下端部に、棒状部材と該棒状部材を往復運動可能に支持した円筒部材とを備えた球突き装置を配置し、棒状部材を発射槌（発射杵）にて叩打することで、玉を発射レールに沿った直線方向に発射する玉発射装置が記載されている。
【先行技術文献】
【特許文献】
【００１４】
【特許文献１】特開平１０−２７２２２８号公報（１９９８年１０月１３日公開）
【特許文献２】特開２００９−２４０３５６号公報（２００９年１０月２２日公開）
【特許文献３】特許第４２１８８８１号公報（平成１７年１月１３日公開）
【特許文献４】特開平８−２２９１９３号公報（１９９６年９月１０日公開）
【特許文献５】特許平８−３２２９８６号公報（１９９６年１２月１０日公開）
【発明の概要】
【発明が解決しようとする課題】
【００１５】
特許文献４，５は、搖動回転する発射槌と玉との間に、玉打撃部材あるいは球突き装置を配置し、これら玉打撃部材あるいは球突き装置を介して玉を叩打することで、発射槌の回転運動を直線運動に変換してから玉に加え、これにより、回転方式の利点である発射強度を確保しつつ、回転方式の課題である発射安定性も確保しようとするものでる。しかしながら、特許文献４，５の構成には、以下のような問題がある。
【００１６】
つまり、特許文献４の構成は、振子状の玉打撃部材にて回転運動を直線運動に変換するものであるが、振子状の玉打撃部材の運動は回転運動に他ならない。そのため、依然として回転強度の違いを起因とした発射安定性に問題がある。
【００１７】
一方、特許文献５の構成は、棒状部材が往復運動するピストン状の球突き装置を用いるので、回転運動を直線運動に確実に変換することができる。しかしながら、棒状部材を元の位置に戻すためのコイルスプリングが、ピストンと同軸上に設けられており、発射槌は玉の発射毎にこのコイルスプリングを圧縮させている。そのため、発射槌が玉を叩打するための力の一部がこのコイルスプリングに吸収されてしまい、その分、発射強度が低下して、電力ロスになる。また、繰り返し発射槌に叩打される棒状部材後端の円板部材に歪がかかり、耐久性に問題もある。
【００１８】
本発明は、上記課題に鑑みなされたもので、その目的は、小型で発射強度と発射安定性が両立し、かつ、電力ロスも少なく耐久性にも優れる玉発射装置を提供することにある。
【課題を解決するための手段】
【００１９】
上記の課題を解決するために、本発明の遊技機用の玉発射装置においては、上下に傾斜して配された発射レールの下端部に保持された玉を、発射槌を回転させて該発射槌の先端部で叩打して前記発射レールに沿って発射させる遊技機用の玉発射装置であって、前記発射槌は、回転自在に軸支され、先端部が前記発射レールの下端部に臨むアームと、前記発射レールの下端部に摺動自在に配置され、前記玉を叩打する叩打部と、前記アームの先端部と前記叩打部とを連結し、前記アームの回転に連動させて前記叩打部を前記発射レールに沿って往復直線運動させるリンク機構と、を有し、前記アームを前記発射レールの下端に向かう方向に回転させることで、前記叩打部にて前記玉を叩打して発射させる構成である。
【００２０】
上記構成によれば、発射槌のアームを発射レールの下端に向かう方向に回転させることで、叩打部が直線運動して玉を叩打し、玉が発射レールに沿って発射される。これは、いわゆる回転方式なので、発射強度を確保することができる。
【００２１】
そして、回転方式には、回転強度によって玉の発射角度が安定しない問題があるが、上記構成によれば、アームの回転による回転運動がリンク機構を介して叩打部に伝えられることで直線運動に変換され、叩打部は直線運動で玉を叩打する。したがって、アームの回転強度の変化にて、玉の発射角度がばらつくことはなく、直線方式の玉発射装置のような発射安定性を得ることができる。
【００２２】
しかも、アームと叩打部とはリンク機構で接続されているので、前述した特許文献５の棒状部材後端の円板部材のように繰り返し発射杵に叩打されて歪が発生する部材は存在せず、耐久性に優れる。
【００２３】
さらに、アームの先端部が玉を叩打するために叩打部に伝える力の殆どが、玉の発射に用いられるので、発射毎にコイルスプリングに玉を叩打する力の一部が吸収される特許文献５の構成よりも、電力ロスを少なくできる。
【００２４】
本発明の遊技機用の玉発射装置においては、さらに、前記アームを前記発射レールの下端に向かう方向に回転させる駆動部と、前記アームを前記発射レールの下端から離す方向に付勢する付勢部材と、を備え、前記駆動部が、内部に固定芯を備え、前記アームに設けられた引き込み部を通電時に吸引するコイル部と、前記アームと対向する側を少なくとも除いて、前記コイル部の周りを囲うように設けられたヨークと、を備え、前記アームが、磁性体にて構成されていてもよい。
【００２５】
上記構成によれば、駆動部が、アームを発射レールの下端に向かう方向に回転させる一方、アームは付勢部材にて発射レールの下端から離す方向に付勢されている。したがって、アームはコイル部の通電時、発射レールの下端に向かう方向に回転し、通電が解除されることで、付勢部材の復元力で、元の位置に復帰する。
【００２６】
そして、引き込み部の吸引に必要なコイル部を利用し、該コイル部の周囲を磁性体で構成したヨークとアームとで囲うことで磁力を増幅させるので、玉発射装置を大型可することなく、アームを備えた発射槌の回転強度を上げることができる。
【００２７】
本発明の遊技機用の玉発射装置においては、さらに、前記引き込み部が、前記アームにおける回転支点と先端部との間に設けられている構成とすることもできる。
【００２８】
上記構成によれば、アームは、回転支点と先端部との間に力が加えられて回転するので、回転支点を超えた方向にアームを延設し、この延設された部分に力を加えて回転させる構成よりも、玉発射装置を小型化できる。
【００２９】
本発明の遊技機用の玉発射装置においては、さらに、往復直線運動する前記叩打部の上部をガイドする上ガイド部が設けられている構成とすることもできる。
【００３０】
叩打部は、発射レールに沿って摺動するため、もともと安定した往復直線運動を行うが、上ガイド部が設けられることで、衝撃や振動によって叩打部に上方へ移動させる力が加わったとしても、上方への移動が規制され、より安定した往復直線運動が可能になる。
【００３１】
また、本発明は、上記した玉発射装置を備えた遊技機も発明の範疇としている。
【発明の効果】
【００３２】
本発明によれば、小型で発射強度と発射安定性が両立し、かつ、電力ロスも少なく耐久性にも優れる玉発射装置を提供することができるという効果を奏する。
【図面の簡単な説明】
【００３３】
【図１】本実施の形態の玉発射装置を備えた遊技機であるパチンコ機を示す斜視図であり、（ａ）は前扉が閉じた状態を示し、（ｂ）は前扉が開いた状態を示す。
【図２】上記玉発射装置の斜視図である。
【図３】玉発射装置の待機様態を示す正面図である。
【図４】待機状態にある上記玉発射装置の要部の正面図である。
【図５】上記玉発射装置における叩打部とその周囲を、発射レールの下流側より見た図である。
【図６】叩打部が玉と接触した時の玉発射装置１０の状態を示す正面図である。
【図７】玉６を発射した直後の玉発射装置１０の状態を示す正面図である。
【発明を実施するための形態】
【００３４】
本発明の実施の一形態を、図面に基づいて以下に説明する。図１は、本実施の形態の玉発射装置１０を備えたパチンコ機１を示す斜視図であり、（ａ）は前扉が閉じた状態を示し、（ｂ）は前扉が開いた状態を示す。
【００３５】
図１の（ａ）（ｂ）に示すように、玉発射装置１０は、パチンコ機１における前扉２の内側に備えられている。玉発射装置１０は、玉６（図２参照）を遊技領域７に向かって発射するものである。遊技領域７には案内レール８が設けられている。玉発射装置１０内部に備えられた後述する発射レール１１（図２参照）から発射された玉６は、この案内レール８を通って遊技領域７へと送られる。
【００３６】
前扉２の正面の下部には受皿３が設けられ、その向かって右側に、遊技者が玉の発射強度を調整しながら遊技を行うハンドル４が設けられている。また、前扉２の裏面の下部には、受皿３にある玉を玉発射装置１０へ１個ずつ供給する玉供給装置５が設けられている。
【００３７】
図２は、玉発射装置１０の斜視図である。図３は、玉発射装置の待機様態を示す正面図である。図２、図３に示すように、玉発射装置１０は、非磁性の金属などからなるベース板１３を有している。このベース板１３には、発射レール１１、発射槌３０、駆動部３１、上ガイド部（上ガイド部材）１９、玉留部２０、上部ストッパ２１、下部ストッパ２２、復帰ばね（付勢部材）２３およびコネクタ２４などが、ネジなどの固定部材を用いて固定されている。なお、便宜上、各部品をベース板１３に固定する固定部材の説明については省略する。
【００３８】
発射レール１１は、玉供給装置５（図１の（ｂ）参照）から供給された玉６を受け取って保持し、保持した玉が発射槌３０に叩打されると、これを遊技領域７の案内レール８（図１の（ａ）（ｂ）参照）へと案内する。発射レール１１は、発射槌３０が設けられている側が下方となるように、上下に傾斜して配設されている。
【００３９】
発射レール１１の下端部には、玉留部２０が発射レール１１と所定の距離を隔てて配置されている。玉留部２０は、角部２０ａに玉供給装置５から発射レール１１上に供給された玉６を当接させて、発射レール１１上の発射位置Ｐに安定して保持する。玉６は、角部２０ａより一部が発射レール１１の端部側に迫り出した状態で保持される。
【００４０】
発射槌３０は、アーム１２、叩打部１８およびリンク機構１７を備えている。発射槌３０は、アーム１２を、発射レール１１の下端に向かう方向に回転させることで、叩打部１８にて発射位置Ｐに保持された玉６を叩打し、発射レール１１に沿って発射させる。発射槌３０の詳細については後述する。以下、アーム１２が発射レール１１の下端に向かう方向を、叩打方向と称する。
【００４１】
駆動部３１は、コイル１４、固定芯１５およびヨーク１６を備えている。駆動部３１は、玉６の発射時に、発射槌３０のアーム１２を、叩打方向に回転させる。駆動部３１の詳細についても後述する。
【００４２】
復帰ばね２３は、発射槌３０のアーム１２を発射レール１１の下端から離す方向に付勢する。復帰ばね２３は、玉６を発射させるために、駆動部３１にて、アーム１２が発射レール１１の下端に向かう方向に回転された発射槌３０を、復元力で元の位置に復帰させる。以下、アーム１２を発射レール１１の下端から離す方向を、復帰方向と称する。
【００４３】
上部ストッパ２１は、叩打方向に回転される発射槌３０に当接して、叩打方向へのさらなる回転を規制する。下部ストッパ２２は、復帰方向に回転される発射槌３０に当接して、復帰方向へのさらなる回転を規制する。
【００４４】
上ガイド部１９は、叩打部１８の上部をガイドして、叩打部１８の発射レール１１に沿った往復直線運動をより安定して行わせる。上ガイド部１９の詳細についても後述する。
【００４５】
コネクタ２４は、駆動部３１における後述するコイル１４に電流を供給するために、パチンコ機１から延びる図示しないハーネスと接続される。コネクタ２４を介して、ハンドル４（図１の（ａ）参照）の回転量に応じて調整された電流が、コイル１４へと供給される。
【００４６】
図４は、待機状態の玉発射装置１０の要部の正面図である。発射槌３０は、上述したように、アーム１２、叩打部１８およびリンク機構１７を備えている。アーム１２は、回転自在に軸支され、先端部が発射レール１１の下端部に臨むように配設されている。なお、図４では、長さの異なる第１部材１２ａと第２部材１２ｂの２つの部材が連結して固定されたアーム１２を例示しているが、アームは１つの部材から構成してもよい。
【００４７】
アーム１２の中部から下部を構成する第１部材１２ａの下端部が、駆動部３１を構成する後述するＵ字状のヨーク１６に設けられた軸２６に回転自在に軸支されている。また、この第１部材１２ａに上述した復帰ばね２３の一端が固定されると共に、この第１部材１２ａが上述した下部ストッパ２２に当接するようになっている。
【００４８】
さらに、この第１部材１２ａにおける、下部ストッパ２２と当接する側とは反対側の、駆動部３１と対向する側には、引き込み部１２ｃが突出して設けられている。引き込み部１２ｃは、駆動部３１における後述するコイル１４の通電時にコイル１４内部に吸引される、ソレノイドのプランジャー様の部材である。引き込み部１２ｃがコイル１４内部に吸引されることで、アーム１２が叩打方向に回転する。
【００４９】
叩打部１８は、アーム１２の上部を構成する第２部材１２ｂに、リンク機構１７を介して連結されている。叩打部１８は、発射位置Ｐに保持された玉６を叩打して発射させるもので、発射レール１１の下端部に摺動自在に配置されている。叩打部１８における玉６と接触する先端部には、叩打時の衝撃による玉６の損傷を防ぐための衝撃吸収パッド２５が取り付けられている。
【００５０】
リンク機構１７は、アーム１２の先端側に相当する第２部材１２ｂと叩打部１８とを連結するもので、アーム１２の回転に連動させて叩打部１８を発射レール１１に沿って往復直線運動させる。第２部材１２ｂおよび叩打部１８はそれぞれ、リンク機構１７に設けられた軸２７、軸２８に回転自在に軸支されている。
【００５１】
また、第２部材１２ｂは、リンク機構１７が設けられている位置よりも上に延設されており、該延設部分が上述した上部ストッパ２１と当接するようになっている。
【００５２】
そして、アーム１２を構成する第１部材１２ａおよび第２部材１２ｂは、例えば複数枚の電磁鋼板が積層された構成であり、つまり、アーム１２は磁性体からなる。なお、アーム１２を構成する磁性体としては、電磁鋼板に限るものではない。
【００５３】
駆動部３１は、上述したように、コイル１４、固定芯１５およびヨーク１６を備えている。コイル１４は、コネクタ２４を介して、ハンドル４（図１の（ａ）参照）の回転量に応じて調整された電流が供給されると、その電流量に応じた磁界を発生させる。
【００５４】
固定芯１５は、コイル１４内部に設けられており、コイル１４に磁界が発生すると、上述した発射槌３０のアーム１２に設けられた引き込み部１２ｃを引き寄せる。固定芯１５と引き込み部１２ｃとは、固定芯１５の凹部１５ａに引き込み部１２ｃが嵌合するような向かい合う形状を有している。コイル１４と固定芯１５とで、コイル部が構成される。
【００５５】
また、ヨーク１６は、発射槌３０のアーム１２と対向する側を少なくとも除いて、コイル１４の周りを囲うように設けられている。図４では、ヨーク１６はＵ字状をなし、Ｕ字の底部中央で、固定芯１５と接続されている構成を例示しているが、ヨーク１６と固定芯１５とは接続されていなくてもよい。
【００５６】
そして、アーム１２と同様に、ヨーク１６も、複数枚の電磁鋼板が積層されて構成された磁性体からなる。ヨーク１６を構成する磁性体も、電磁鋼板に限るものではない。
【００５７】
このように、コイル１４の周囲を電磁鋼板などの磁性体で構成したヨーク１６とアーム１２とで囲うことで磁力を増幅して、玉発射装置１０を大型可することなく、アーム１２を備えた発射槌３０の回転強度を上げることができる。
【００５８】
図５は、玉発射装置１０における叩打部１８とその周囲を、発射レール１１の下流側より見た図である。図５に示すように、叩打部１８は、略円柱状の部材であり、外周面の一部である下円筒面１８ｂが断面Ｖ字状の発射レール１１を摺動し、外周面の一部である上円筒面１８ａが上述した上ガイド部１９を摺動する。上ガイド部１９は、上円筒面１８ａとほぼ同じ曲率を有するガイド面１９ａを有している。
【００５９】
叩打部１８は、発射レール１１に沿って摺動することで、もともと安定した往復直線運動を行うが、上ガイド部１９が設けられることで、衝撃や振動によって叩打部１８に上方へ移動させる力が加わったとしても、上方への移動が規制され、より安定した往復直線運動が可能になる。
【００６０】
次に、上記のように構成された玉発射装置１０の動作を、図３、図６、図７を用いて説明する。図３は、上述したように、玉発射装置が待機位置にある状態を示している。図６は、叩打部１８が玉６と接触した時の玉発射装置１０の状態を示し、図７は、玉６を発射した直後の玉発射装置１０の状態を示す。
【００６１】
ハンドル４が回転操作されると、ハンドル４の回転量に応じた電流がコイル１４に流れ、コイル１４の周囲に磁界が発生する。これにより、固定芯１５およびヨーク１６が、アーム１２を吸引し、アーム１２を備えた発射槌３０が、図３の待機状態から叩打方向に回転する。
【００６２】
アーム１２が叩打方向に回転すると、図６に示すように、叩打部１８が発射レール１１および上ガイド部１９に沿って直線運動して前進し、発射位置Ｐに保持された玉６に接触する。叩打部１８は、そこからさらに前進して、玉６を叩打して発射させる。図７に示すように、玉６を発射させた直後、叩打部１８の先端部（衝撃吸収パッド２５の有る部分）は、玉留部２０の角部２０ａの真下に達する。
【００６３】
玉６が発射されると、コイル１４への通電が一旦停止し、固定芯１５およびヨーク１６は、アーム１２の吸引を解除する。これにより、アーム１２を備えた発射槌３０が、復帰ばね２３の復元力で、復帰方向に回転し、図７の位置から、図３に示す待機状態の位置にまで復帰する。
【００６４】
アーム１２が復帰方向に回転すると、叩打部１８が発射レール１１に沿って直線運動して発射位置Ｐから後退する。
【００６５】
発射槌３０が待機状態の位置に戻ると、玉供給装置５から次の玉６が発射レール１１上に供給され、次の玉６を発射するために、再びコイル１４にハンドル４の回転量に応じた電流が流れ、発射槌３０が玉６を叩打方向に回転する。
【００６６】
以上のように、上記構成によれば、発射槌３０が回転して玉を叩打して発射させるいわゆる回転方式であるため、発射強度を確保することができる。また、回転方式には、回転強度によって玉６の発射角度が安定しない問題があるが、上記構成によれば、アーム１２の回転による回転運動がリンク機構１７を介して叩打部１８に伝えられることで直線運動に変換され、叩打部１８は、直線運動で玉を叩打する。したがって、アーム１２の回転強度の変化にて、玉の発射角度がばらつくことはなく、直線方式の玉発射装置のような発射安定性を得ることができる。
【００６７】
しかも、アーム１２と叩打部１８とはリンク機構１７で接続されているので、前述した特許文献５の棒状部材後端の円板部材のように繰り返し発射槌に叩打されて歪が発生する部材は存在せず、耐久性に優れる。
【００６８】
さらに、アーム１２の先端部が玉６を叩打するために叩打部１８に伝える力の殆どが、玉６の発射に用いられるので、発射毎にコイルスプリングに玉を叩打する力の一部が吸収される特許文献５の構成よりも、電力ロスを少なくできる。
【００６９】
しかも、引き込み部１２ｃの吸引に必要なコイル１４を利用し、該コイル１４の周囲を電磁鋼板などの磁性体で構成したヨーク１６とアーム１２とで囲うことで磁力を増幅させるので、玉発射装置１０を大型可することなく、アーム１２を備えた発射槌３０の回転強度を上げることができる。
【００７０】
さらに、上記構成によれば、アーム１２は、回転支点と先端部との間に力が加えられて回転するので、回転支点を超えた方向にアーム１２を延設し、この延設された部分に力を加えて回転させる構成よりも、玉発射装置１０を小型化できる。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７２】
１  パチンコ機（遊技機）
２  前扉
３  受皿
４  ハンドル
５  玉供給装置
６  玉
７  遊技領域
８  案内レール
１０  玉発射装置
１１  発射レール
１２  アーム
１２ａ  第１部材
１２ｂ  第２部材
１２ｃ  引き込み部
１３  ベース板
１４  コイル（コイル部）
１５  固定芯
１６  ヨーク
１７  リンク機構
１８  叩打部
１９  上ガイド部
２０  玉留部
２１  上部ストッパ
２２  下部ストッパ
２３  復帰ばね（付勢部材）
２４  コネクタ
２５  衝撃吸収パッド
３０  発射槌
３１  駆動部
【図１】
0006488941.tif 000002
【図２】
0006488941.tif 000003
【図３】
0006488941.tif 000004
【図４】
0006488941.tif 000005
【図５】
0006488941.tif 000006
【図６】
0006488941.tif 000007
【図７】
0006488941.tif 000008